(57)【要約】【課題】ユーザに負担をかけることなくタッチパネルの掃除をすることができ、且つ、簡易な構成でタッチパネルの掃除中における意図しない入力を防止することができるナビゲーション装置及び電子機器を提供する。【解決手段】タッチパネルを備えたナビゲーション装置１において、タッチパネルが配置された本体部２と、本体部２に着脱自在であり、本体部２から離脱されてタッチパネルの表面を拭き取る拭き取り用部品７と、拭き取り用部品７の本体部２に対する着脱を検知する検知部８と、検知部８により拭き取り用部品７の本体部２からの離脱が検知された場合に、タッチパネルからの入力を無効に切り替える切替プログラムを実行したＣＰＵと、を備えるよう構成した。【選択図】図２
2008102701.tif 000002
【特許請求の範囲】
【請求項１】
タッチパネル及び操作キーを備える入力手段を備えたナビゲーション装置において、
前記タッチパネルが配置された本体部と、
前記本体部に着脱自在であり、当該本体部から離脱されて前記タッチパネルの表面を拭き取る拭き取り用部品と、
前記拭き取り用部品の前記本体部に対する着脱を検知する検知手段と、
前記検知手段により前記拭き取り用部品の前記本体部からの離脱が検知された場合に、前記タッチパネルからの入力を無効に切り替えるとともに、前記拭き取り用部品がスライドされて当該拭き取り用部品の前記本体部における装着位置が第１の位置から第２の位置に切り替わると、前記入力手段からの入力を有効から無効に切り替える切替手段と、
を備え、
前記拭き取り用部品は、前記本体部にスライド自在に装着されており、
前記拭き取り用部品は、スライドされて前記本体部における所定の装着位置に位置した場合に、前記本体部に設けられた係止部に当該拭き取り用部品の一部が係止されてスライド不可能な状態となるとともに、当該拭き取り用部品がスライド方向と直交する方向に押下されると当該拭き取り用部品の前記係止部との係止が解除されてスライド可能な状態となるように構成されていることを特徴とするナビゲーション装置。
【請求項２】
タッチパネルを備える入力手段を備えた電子機器において、
前記タッチパネルが配置された本体部と、
前記本体部に着脱自在であり、当該本体部から離脱されて前記タッチパネルの表面を拭き取る拭き取り用部品と、
前記拭き取り用部品の前記本体部に対する着脱を検知する検知手段と、
前記検知手段により前記拭き取り用部品の前記本体部からの離脱が検知された場合に、前記タッチパネルからの入力を無効に切り替える切替手段と、
を備えることを特徴とする電子機器。
【請求項３】
請求項２に記載の電子機器において、
前記拭き取り用部品は、前記本体部にスライド自在に装着されており、
前記拭き取り用部品は、スライドされて前記本体部における所定の装着位置に位置した場合に、前記本体部に設けられた係止部に当該拭き取り用部品の一部が係止されてスライド不可能な状態となるとともに、当該拭き取り用部品がスライド方向と直交する方向に押下されると当該拭き取り用部品の前記係止部との係止が解除されてスライド可能な状態となるように構成されていることを特徴とする電子機器。
【請求項４】
請求項３に記載の電子機器において、
前記入力手段は、さらに操作キーを備え、
前記切替手段は、前記拭き取り用部品がスライドされて当該拭き取り用部品の前記本体部における装着位置が第１の位置から第２の位置に切り替わると、前記入力手段からの入力を有効から無効に切り替えることを特徴とする電子機器。
【発明の詳細な説明】
【技術分野】
【０００１】
本発明は、ナビゲーション装置及び電子機器に関する。
【背景技術】
【０００２】
従来、表示画面を備えたナビゲーション装置や携帯電話機、テレビジョン受信機などの電子機器が知られている。表示画面は汚れが付きやすく、また、汚れが目立ちやすいため、表示画面を掃除するためのクリーナが提案されている（例えば、特許文献１及び２参照）。
【０００３】
さらに、表示画面上に配置されたタッチパネルにより操作信号の入力が可能な電子機器も知られている。タッチパネルは指などで触れられるため、特に汚れが付きやすい。したがって、ティッシュペーパーやハンカチなどでタッチパネルを掃除することになるが、タッチパネルは掃除される際にも触れられるため、電子機器の電源を遮断しなければ、意図しない入力がなされてしまうという問題がある。
【０００４】
そこで、例えば、タッチパネルの掃除中に意図しない入力がなされないよう、所定の入力があった時にはタッチパネルの通常の入力を無効にすることができる電子機器（情報端末装置）が提案された（例えば、特許文献３参照）。
また、例えば、タッチパネルを掃除するクリーニング機構を備え、タッチパネルへのタッチ入力回数が所定の設定回数に達するとクリーニング機構での掃除を実施し、タッチパネルの掃除中はタッチパネルからの入力信号を遮断することができる電子機器（タッチ操作装置）が提案された（例えば、特許文献４参照）。
【特許文献１】特開２００４−３６４０６６号公報
【特許文献２】特開平１１−５６７４５号公報
【特許文献３】特開２００５−７１００８号公報
【特許文献４】特開平９−１６０７２０号公報
【発明の開示】
【発明が解決しようとする課題】
【０００５】
しかしながら、特許文献３では、タッチパネルを掃除するために、わざわざティッシュペーパーやハンカチなどを用意しなければならないため、ユーザにとって煩わしいという問題がある。
また、特許文献４では、自動でタッチパネルを掃除するクリーニング機構や、タッチ入力回数をカウントする等の処理を実行するためのプログラムなどを備える必要があるため、構成が複雑であり、コストがかかるという問題がある。
【０００６】
本発明の課題は、ユーザは負担がかかることなくタッチパネルの掃除をすることができ、且つ、簡易な構成でタッチパネルの掃除中における意図しない入力を防止することができるナビゲーション装置及び電子機器を提供することにある。
【課題を解決するための手段】
【０００７】
上記課題を解決するために、請求項１に記載の発明は、
タッチパネル及び操作キーを備える入力手段を備えたナビゲーション装置において、
前記タッチパネルが配置された本体部と、
前記本体部に着脱自在であり、当該本体部から離脱されて前記タッチパネルの表面を拭き取る拭き取り用部品と、
前記拭き取り用部品の前記本体部に対する着脱を検知する検知手段と、
前記検知手段により前記拭き取り用部品の前記本体部からの離脱が検知された場合に、前記タッチパネルからの入力を無効に切り替えるとともに、前記拭き取り用部品がスライドされて当該拭き取り用部品の前記本体部における装着位置が第１の位置から第２の位置に切り替わると、前記入力手段からの入力を有効から無効に切り替える切替手段と、
を備え、
前記拭き取り用部品は、前記本体部にスライド自在に装着されており、
前記拭き取り用部品は、スライドされて前記本体部における所定の装着位置に位置した場合に、前記本体部に設けられた係止部に当該拭き取り用部品の一部が係止されてスライド不可能な状態となるとともに、当該拭き取り用部品がスライド方向と直交する方向に押下されると当該拭き取り用部品の前記係止部との係止が解除されてスライド可能な状態となるように構成されていることを特徴とする。
【０００８】
請求項２に記載の発明は、
タッチパネルを備える入力手段を備えた電子機器において、
前記タッチパネルが配置された本体部と、
前記本体部に着脱自在であり、当該本体部から離脱されて前記タッチパネルの表面を拭き取る拭き取り用部品と、
前記拭き取り用部品の前記本体部に対する着脱を検知する検知手段と、
前記検知手段により前記拭き取り用部品の前記本体部からの離脱が検知された場合に、前記タッチパネルからの入力を無効に切り替える切替手段と、
を備えることを特徴とする。
【０００９】
請求項３に記載の発明は、
請求項２に記載の電子機器において、
前記拭き取り用部品は、前記本体部にスライド自在に装着されており、
前記拭き取り用部品は、スライドされて前記本体部における所定の装着位置に位置した場合に、前記本体部に設けられた係止部に当該拭き取り用部品の一部が係止されてスライド不可能な状態となるとともに、当該拭き取り用部品がスライド方向と直交する方向に押下されると当該拭き取り用部品の前記係止部との係止が解除されてスライド可能な状態となるように構成されていることを特徴とする。
【００１０】
請求項４に記載の発明は、
請求項３に記載の電子機器において、
前記入力手段は、さらに操作キーを備え、
前記切替手段は、前記拭き取り用部品がスライドされて当該拭き取り用部品の前記本体部における装着位置が第１の位置から第２の位置に切り替わると、前記入力手段からの入力を有効から無効に切り替えることを特徴とする。
【発明の効果】
【００１１】
請求項１に記載の発明によれば、タッチパネル及び操作キーを備える入力手段を備えたナビゲーション装置において、タッチパネルが配置された本体部と、本体部に着脱自在であり、当該本体部から離脱されてタッチパネルの表面を拭き取る拭き取り用部品と、拭き取り用部品の本体部に対する着脱を検知する検知手段と、を備えており、切替手段によって、検知手段により拭き取り用部品の本体部からの離脱が検知された場合に、タッチパネルからの入力を無効に切り替えることができる。
したがって、タッチパネルを掃除するための拭き取り用部品を備えているため、タッチパネルを掃除するために、わざわざティッシュペーパーやハンカチなどを用意する必要がなくなって、ユーザは負担がかかることなくタッチパネルの掃除をすることができる。
さらに、ナビゲーション装置の電源を遮断しなくても、拭き取り用部品が本体部から離脱されるとタッチパネルからの入力を無効にするため、簡易な構成でタッチパネルの掃除中における意図しない入力を防止することができる。
【００１２】
また、拭き取り用部品は、本体部にスライド自在に装着されており、拭き取り用部品は、スライドされて本体部における所定の装着位置に位置した場合に、本体部に設けられた係止部に当該拭き取り用部品の一部が係止されてスライド不可能な状態となるとともに、当該拭き取り用部品がスライド方向と直交する方向に押下されると当該拭き取り用部品の係止部との係止が解除されてスライド可能な状態となるように構成されている。
したがって、拭き取り用部品はスライドさせるだけでは本体部から離脱しないため、拭き取り用部品の紛失等を防止することができる。
【００１３】
また、切替手段は、拭き取り用部品がスライドされて当該拭き取り用部品の本体部における装着位置が第１の位置から第２の位置に切り替わると、入力手段からの入力を有効から無効に切り替えることができる。
したがって、拭き取り用部品は、本体部に装着されている間は、スライドさせることによって、ホールドスイッチ（すなわち、例えば、ナビゲーション装置をカバン等に入れて持ち運ぶ際に入力手段が誤って操作されても、入力手段からの入力を無効にして誤動作を防止するスイッチ）として機能するため、利便性が高い。
【００１４】
請求項２に記載の発明によれば、タッチパネルを備える入力手段を備えた電子機器において、タッチパネルが配置された本体部と、本体部に着脱自在であり、当該本体部から離脱されてタッチパネルの表面を拭き取る拭き取り用部品と、拭き取り用部品の本体部に対する着脱を検知する検知手段と、を備えており、切替手段によって、検知手段により拭き取り用部品の本体部からの離脱が検知された場合に、タッチパネルからの入力を無効に切り替えることができる。
したがって、タッチパネルを掃除するための拭き取り用部品を備えているため、タッチパネルを掃除するために、わざわざティッシュペーパーやハンカチなどを用意する必要がなくなって、ユーザは負担がかかることなくタッチパネルの掃除をすることができる。
さらに、電子機器の電源を遮断しなくても、拭き取り用部品が本体部から離脱されるとタッチパネルからの入力を無効にするため、簡易な構成でタッチパネルの掃除中における意図しない入力を防止することができる。
【００１５】
請求項３に記載の発明によれば、請求項２に記載の発明と同様の効果が得られることは無論のこと、拭き取り用部品は、本体部にスライド自在に装着されており、拭き取り用部品は、スライドされて本体部における所定の装着位置に位置した場合に、本体部に設けられた係止部に当該拭き取り用部品の一部が係止されてスライド不可能な状態となるとともに、当該拭き取り用部品がスライド方向と直交する方向に押下されると当該拭き取り用部品の係止部との係止が解除されてスライド可能な状態となるように構成されている。
したがって、拭き取り用部品はスライドさせるだけでは本体部から離脱しないため、拭き取り用部品の紛失等を防止することができる。
【００１６】
請求項４に記載の発明によれば、請求項３に記載の発明と同様の効果が得られることは無論のこと、入力手段は、さらに操作キーを備え、切替手段は、拭き取り用部品がスライドされて当該拭き取り用部品の本体部における装着位置が第１の位置から第２の位置に切り替わると、入力手段からの入力を有効から無効に切り替えることができる。
したがって、拭き取り用部品は、本体部に装着されている間は、スライドさせることによって、ホールドスイッチ（すなわち、例えば、電子機器をカバン等に入れて持ち運ぶ際に入力手段が誤って操作されても、入力手段からの入力を無効にして誤動作を防止するスイッチ）として機能するため、利便性が高い。
【発明を実施するための最良の形態】
【００１７】
以下、図を参照して、本発明にかかる電子機器としてのナビゲーション装置の最良の形態を詳細に説明する。なお、発明の範囲は、図示例に限定されない。
【００１８】
＜ナビゲーション装置の構成＞
ナビゲーション装置１は、例えば、ユーザがナビゲーション装置１に対して各種指示を入力するためのタッチパネル４１を備えた、車両に後付け可能なポータブル型のカーナビゲーション装置であり、例えば、車両のダッシュボードなどの上に設置されて、或いは、ユーザにより携帯されて、現在位置を測位して表示部３に表示するとともに、目的地までの経路の検索、表示及びユーザへの通知を行う装置である。
【００１９】
図１は、ナビゲーション装置１の正面図であり、図２は、ナビゲーション装置１の背面図である。
また、図３は、ナビゲーション装置１の機能的構成を示すブロック図である。
また、図４（ａ）は、ナビゲーション装置１に装着された状態における拭き取り用部品７の背面図であり、図４（ｂ）は、図４（ａ）の拭き取り用部品７を[１]の方向から見た側面図であり、図４（ｃ）は、図４（ａ）の拭き取り用部品７を[２]の方向から見た側面図である。
また、図５は、図４（ａ）の拭き取り用部品７を〔２〕の方向から見た側面断面図である。
また、図６（ａ）は、ナビゲーション装置１に備えられた拭き取り用部品７が、第１の位置としての領域Ａに装着されている状態を示す背面図であり、図６（ｂ）は、図６（ａ）のＱ−Ｑ’断面図であり、図７（ａ）は、ナビゲーション装置１に備えられた拭き取り用部品７が、第２の位置としての領域Ｂに装着されている状態を示す背面図であり、図７（ｂ）は、図７（ａ）のＱ−Ｑ’断面図であり、図８（ａ）は、ナビゲーション装置１に備えられた拭き取り用部品７が、スライド方向と直交する方向に押下されて拭き取り用部品７の係止部２ｄとの係止が解除されている状態を示す背面図であり、図８（ｂ）は、図８（ａ）のＱ−Ｑ’断面図であり、図９（ａ）は、ナビゲーション装置１に備えられた拭き取り用部品７が、ナビゲーション装置１から離脱されている状態を示す背面図であり、図９（ｂ）は、図９（ａ）のＱ−Ｑ’断面図である。
【００２０】
なお、以下の説明では、ナビゲーション装置１の使用時に、ユーザが見る側（すなわち、表示部３が配置された側）を前側とし、前側に対向する側を後側とするとともに、ユーザから見て上になる側を上側とし、下になる側を下側とする。そして、前後方向及び上下方向の双方に直交する方向を左右方向とする。
【００２１】
具体的には、ナビゲーション装置１は、例えば、図１〜図３に示すように、外形が左右方向に長尺な略直方体状に形成された本体部２と、本体部２の前面側の中央付近に配置された表示部３と、表示部３の表示画面上に配置されたタッチパネル４１や本体部２の前面の表示部３を挟んで左側及び右側に配置された操作キー４２などを含む入力部４と、本体部２の後側の上端に上下方向に回動自在に設けられ、アンテナ本体部６１を内蔵した平面状のＧＰＳアンテナ部６と、本体部２の後面に左右方向にスライド自在に装着されているとともに本体部２に着脱自在であり、本体部２から離脱されてタッチパネル４１の表面を拭き取る拭き取り用部品７と、拭き取り用部品７の本体部２における装着位置や拭き取り用部品７の本体部２に対する着脱を検知する検知手段としての検知部８と、ナビゲーション装置１を構成する各部を制御するための制御部９と、等を備えて構成される。
【００２２】
拭き取り用部品７は、例えば、図４及び図５に示すように、部品本体部７１と、拭き取り用部品７がナビゲーション装置１に装着された状態における部品本体部７１の後面に配置された摘み部７２と、拭き取り用部品７がナビゲーション装置１に装着された状態における部品本体部７１の前面に配置された拭き取り布７３と、等を備えて構成される。
【００２３】
部品本体部７１は、例えば、本体部２に設けられた凹部２ａ（後述）と凹部２ａの上下両側面に設けられた溝部２ｂ，２ｂ（後述）とにより形成される空間に収容可能になっており、摘み部７１ｂは、例えば、部品本体部７１が、本体部２に設けられた凹部２ａ（後述）と凹部２ａの上下両側面に設けられた溝部２ｂ，２ｂ（後述）とにより形成される空間に収容された状態では、本体部２の後面から突出している。
【００２４】
部品本体部７１は、例えば、外形が略直方体状に形成され、例えば、摘み部７２が配置された面と、拭き取り布７３が配置された面と、摘み部７２が配置された面と拭き取り布７３が配置された面との双方に直交する４つの側面７１ａと、等から構成されている。
部品本体部７１の側面７１ａは、例えば、ゴムなどの弾性部材により構成され、例えば、図５に示すように、拭き取り用部品７が側面７１ａと略平行する方向に押下されると、収縮するようになっている。
【００２５】
本体部２の後面には、例えば、当該後面を前方向に陥没させて形成させた凹部２ａが設けられており、凹部２ａの上下両側面には、例えば、溝部２ｂ，２ｂが設けられている。
【００２６】
凹部２ａと溝部２ｂ，２ｂとにより形成される空間が、拭き取り用部品７の部品本体部７１を収容した場合、例えば、溝部２ｂ，２ｂと部品本体部７１の上下両端部とは係合するようになっており、そして、拭き取り用部品７は、例えば、図６〜図８に示すように、溝部２ｂ，２ｂと部品本体部７１の上下両端部とが係合した状態で、左右方向にスライドするようになっている。
【００２７】
凹部２ａと溝部２ｂ，２ｂとにより形成される空間の右端は、例えば、本体部２の右端と一致しており、例えば、開口部２ｃになっている。
したがって、拭き取り用部品は、例えば、図８及び図９に示すように、凹部２ａと溝部２ｂ，２ｂとにより形成される空間の右端（開口部２ｃ）において、ナビゲーション装置１に着脱するようになっている。
【００２８】
凹部２ａと溝部２ｂ，２ｂとにより形成される空間は、例えば、左右方向に沿って、左側から、領域Ａと、領域Ｂと、領域Ｃと、に分かれている。
【００２９】
領域Ａにおける凹部２ａの前側の面には、例えば、拭き取り用部品７の装着位置が領域Ａである場合に、拭き取り用部品７を検知する第１検知部８ａが設けられている。
また、領域Ｂにおける凹部２ａの前側の面には、例えば、拭き取り用部品７の装着位置が領域Ｂである場合に、拭き取り用部品７を検知する第２検知部８ｂが設けられている。
【００３０】
領域Ｃにおける溝部２ｂ，２ｂの後側の面には、例えば、当該後面を前方向に突出されて形成させた係止部２ｄが設けられている。
係止部２ｄの左側の面は、例えば、前後方向に略平行する面であり、係止部２ｄの右側の面（開口部２ｃ側の面）は、右側に向かって後方向に傾斜した傾斜面である。
【００３１】
したがって、例えば、図６及び図７に示すように、拭き取り用部品７を領域Ａから領域Ｂへスライドさせる際及び領域Ｂから領域Ａにスライドさせる際は、拭き取り用部品７に左右方向の力を加えるだけで、拭き取り用部品７をスライドさせることができるが、例えば、図７〜図９に示すように、拭き取り用部品７を領域Ｂから領域Ｃへスライドさせて本体部２から離脱させる際は、拭き取り用部品７の部品本体部７１の右側の側面７１ａの上部が、係止部２ｄの左側の面に係止されるため、拭き取り用部品７に前方向の力を加えて部品本体部７１の側面７１ａを収縮させながら、右方向の力を加えてスライドさせる必要がある。
すなわち、拭き取り用部品７は、スライドされて本体部２における所定の装着位置（例えば、領域Ｂ）に位置した場合に、本体部２に設けられた係止部２ｄに拭き取り用部品７の一部（部品本体部７１の右側の側面７１ａの上部）が係止されてスライド不可能な状態となるとともに、拭き取り用部品７がスライド方向（例えば、左右方向）と直交する方向（例えば、前方向）に押下されると拭き取り用部品７の係止部２ｄとの係止が解除されてスライド可能な状態となるように構成されている。
【００３２】
一方、例えば、図７〜図９に示すように、ナビゲーション装置１から離脱された拭き取り用部品７をナビゲーション装置１に装着させる際は、係止部２ｄの開口部２ｃ側の面が右側に向かって後方向に傾斜した傾斜面であるため、拭き取り用部品７を開口部２ｃから領域Ｃを経て領域Ｂへスライドさせるだけで、部品本体部７１の側面７１ａが収縮するので、拭き取り用部品７に左方向の力を加えるだけでよい。
【００３３】
表示部３は、例えば、液晶表示機器等から構成され、制御部９から入力される表示信号に従って、所与の表示処理を行う。
【００３４】
入力部４は、例えば、ユーザがナビゲーション装置１に対して各種指示を入力するためのタッチパネル４１と、ユーザがナビゲーション装置１に対して各種指示を入力するための操作キー４２と、等を備えており、ユーザにより操作されると、当該操作に伴う押下信号を制御部９に出力する。
【００３５】
アンテナ本体部６１は、例えば、地球低軌道に打ち上げられた複数のＧＰＳ衛星から送信されるＧＰＳ信号を受信して、当該受信したＧＰＳ信号を制御部９に出力する。
【００３６】
検知部８は、例えば、押下式或いは光学式等のセンサにより構成され、凹部２ａと溝部２ｂ，２ｂとにより形成される空間のうちの領域Ａに位置する拭き取り用部品７を検知する第１検知部８１と、凹部２ａと溝部２ｂ，２ｂとにより形成される空間のうちの領域Ｂに位置する拭き取り用部品７を検知する第２検知部８２と、等を備えており、当該検知信号を、制御部９に出力する。
【００３７】
制御部９は、例えば、図３に示すように、ＣＰＵ（Central Processing Unit）９１と、ＲＡＭ（Random Access Memory）９２と、記憶部９３と、等を備えている。
【００３８】
ＣＰＵ９１は、記憶部９３に記憶されたナビゲーション装置１用の各種処理プログラムに従って各種の制御動作を行う。
【００３９】
ＲＡＭ９２は、ＣＰＵ９１によって実行される処理プログラムなどを展開するためのプログラム格納領域や、入力データや上記処理プログラムが実行される際に生じる処理結果などを格納するデータ格納領域などを備える。
【００４０】
記憶部９３は、ナビゲーション装置１で実行可能なシステムプログラム、当該システムプログラムで実行可能な各種処理プログラム、これら各種処理プログラムを実行する際に使用されるデータ、ＣＰＵ９１によって演算処理された処理結果のデータなどを記憶する。なお、プログラムは、コンピュータが読み取り可能なプログラムコードの形で記憶部９３に記憶されている。
【００４１】
具体的には、記憶部９３は、例えば、切替プログラム９３１等を記憶している。
【００４２】
切替プログラム９３１は、例えば、検知部８により拭き取り用部品７の本体部２からの離脱が検知された場合に、タッチパネル４１からの入力を無効に切り替えるとともに、検知部８により拭き取り用部品７がスライドされて拭き取り用部品７の本体部２における装着位置が第１の位置（領域Ａ）から第２の位置（領域Ｂ）に切り替わったと検知された場合に、入力部４からの入力を有効から無効に切り替える機能を、ＣＰＵ９１に実現させる。
【００４３】
具体的には、ＣＰＵ９１は、例えば、第１検知部８１から検知信号が入力されず、且つ、第２検知部８２から検知信号が入力されない場合に、拭き取り用部品７が本体部２から離脱したと判断して、タッチパネル４１からの入力を無効にするとともに、操作キー４２からの入力を有効にする。
すなわち、ＣＰＵ９１は、例えば、図９の状態の場合に、タッチパネル４１からの入力を無効にするとともに、操作キー４２からの入力を有効にする。
【００４４】
また、ＣＰＵ９１は、例えば、第１検知部８１から検知信号が入力され、且つ、第２検知部８２から検知信号が入力されない状態から、第１検知部８１から検知信号が入力されず、且つ、第２検知部８２から検知信号が入力される状態に切り替わった場合に、拭き取り用部品７がスライドされて拭き取り用部品７の本体部２における装着位置が第１の位置（領域Ａ）から第２の位置（領域Ｂ）に切り替わったと判断して、入力部４（タッチパネル４１や操作キー４２）からの入力を有効から無効に切り替える。
すなわち、ＣＰＵ９１は、例えば、図６の状態の場合には、入力部４からの入力を有効にし、例えば、図７の状態の場合には、入力部４からの入力を無効にする。
ＣＰＵ９１は、かかる切替プログラム９３１を実行することによって、切替手段として機能する。
【００４５】
以上説明した本発明のナビゲーション装置１によれば、タッチパネル４１及び操作キー４２を備える入力部４と、タッチパネル４１が配置された本体部２と、本体部２に着脱自在であり、本体部２から離脱されてタッチパネル４１の表面を拭き取る拭き取り用部品７と、拭き取り用部品７の本体部２に対する着脱を検知する検知部８と、を備えており、切替プログラム９３１を実行したＣＰＵ９１によって、検知部８により拭き取り用部品７の本体部２からの離脱が検知された場合に、タッチパネル４１からの入力を無効に切り替えることができる。
したがって、タッチパネル４１を掃除するための拭き取り用部品７を備えているため、タッチパネル４１を掃除するために、わざわざティッシュペーパーやハンカチなどを用意する必要がなくなって、ユーザは負担がかかることなくタッチパネルの掃除をすることができる。
さらに、ナビゲーション装置１の電源を遮断しなくても、拭き取り用部品７が本体部２から離脱されるとタッチパネル４１からの入力を無効にするため、簡易な構成でタッチパネル４１の掃除中における意図しない入力を防止することができる。
【００４６】
また、拭き取り用部品７は、本体部２にスライド自在に装着されており、拭き取り用部品７は、スライドされて本体部２における所定の装着位置（例えば、領域Ｂ）に位置した場合に、本体部２に設けられた係止部２ｄに拭き取り用部品７の一部が係止されてスライド不可能な状態となるとともに、拭き取り用部品７がスライド方向（例えば、左右方向）と直交する方向（例えば、前方向）に押下されると拭き取り用部品７の係止部２ｄとの係止が解除されてスライド可能な状態となるように構成されている。
したがって、拭き取り用部品７はスライドさせるだけでは本体部２から離脱しないため、拭き取り用部品７の紛失等を防止することができる。
【００４７】
また、切替プログラム９３１を実行したＣＰＵ９１は、拭き取り用部品７がスライドされて拭き取り用部品７の本体部２における装着位置が第１の位置（例えば、領域Ａ）から第２の位置（例えば、領域Ｂ）に切り替わると、タッチパネル４１や操作キー４２などを備える入力部４からの入力を有効から無効に切り替えることができる。
したがって、拭き取り用部品７は、本体部２に装着されている間は、スライドさせることによって、ホールドスイッチ（すなわち、例えば、ナビゲーション装置１をカバン等に入れて持ち運ぶ際に入力部４が誤って操作されても、入力部４からの入力を無効にして誤動作を防止するスイッチ）として機能するため、利便性が高い。
【００４８】
なお、本発明は、上記した実施の形態のものに限るものではなく、その要旨を逸脱しない範囲で適宜変更可能である。
【００４９】
ナビゲーション装置１の形状（すなわち、本体部２の形状、拭き取り用部品７の形状、係止部２ｄの形状、拭き取り用部品７の装着位置、拭き取り用部品７のスライド方向等）は、上記実施形態に例示したものは一例であり、これらに限られるものではない。
【００５０】
拭き取り用部品７が領域Ａに位置している場合には、入力部４からの入力を有効にし、拭き取り用部品７が領域Ｂに位置している場合には、入力部４からの入力を無効にし、拭き取り用部品７が本体部２から離脱された場合には、タッチパネル４１からの入力を無効にするとともに操作キー４２からの入力を有効にするようにしたが、検知部８により拭き取り用部品７の本体部２からの離脱が検知された場合に、タッチパネル４１からの入力を無効に切り替えることができ、拭き取り用部品７がスライドされて拭き取り用部品７の本体部２における装着位置が第１の位置から第２の位置に切り替わると、入力部４からの入力を有効から無効に切り替えることができるのであれば、拭き取り用部品７の装着位置と、入力部４からの入力の有効／無効と、の関係は任意であり、例えば、拭き取り用部品７が本体部２から離脱された場合には、入力部４からの入力を無効にするようにしてもよい。
【００５１】
本発明において、電子機器は、ナビゲーション装置１の限りでなく、タッチパネル４１を備えた電子機器であれば、任意である。
【図面の簡単な説明】
【００５２】
【図１】本発明のナビゲーション装置を示す正面図である。
【図２】本発明のナビゲーション装置を示す背面図であって、ナビゲーション装置に拭き取り用部品が装着された状態の図（ａ）と、ナビゲーション装置から拭き取り用部品が離脱された状態の図（ｂ）とである。
【図３】本発明のナビゲーション装置の機能的構成を示すブロック図である。
【図４】本発明のナビゲーション装置に備えられた拭き取り用部品の構造を説明するための第１の図である。
【図５】本発明のナビゲーション装置に備えられた拭き取り用部品の構造を説明するための第２の図である。
【図６】本発明のナビゲーション装置に備えられた拭き取り用部品が領域Ａに位置している状態を示す背面図（ａ）と、図６（ａ）のＱ−Ｑ’断面図（ｂ）とである。
【図７】本発明のナビゲーション装置に備えられた拭き取り用部品が領域Ｂに位置している状態を示す背面図（ａ）と、図７（ａ）のＱ−Ｑ’断面図（ｂ）とである。
【図８】本発明のナビゲーション装置に備えられた拭き取り用部品が係止部との係止が解除されてスライド可能になっている状態を示す背面図（ａ）と、図８（ａ）のＱ−Ｑ’断面図（ｂ）とである。
【図９】本発明のナビゲーション装置に備えられた拭き取り用部品がナビゲーション装置１から離脱している状態を示す背面図（ａ）と、図９（ａ）のＱ−Ｑ’断面図（ｂ）とである。
【符号の説明】
【００５３】
１  ナビゲーション装置
２  本体部
２ｄ  係止部
４  入力部（入力手段）
７  拭き取り用部品
８  検知部（検知手段）
４１  タッチパネル
４２  操作キー
９１  ＣＰＵ（切替手段）
９３１  切替プログラム（切替手段）
【図１】
2008102701.tif 000003
【図２】
2008102701.tif 000004
【図３】
2008102701.tif 000005
【図４】
2008102701.tif 000006
【図５】
2008102701.tif 000007
【図６】
2008102701.tif 000008
【図７】
2008102701.tif 000009
【図８】
2008102701.tif 000010
【図９】
2008102701.tif 000011